(57)【要約】      （修正有）【課題】医用画像データの収集条件、再構成条件、及び後処理（ＭＰＲ画像作成処理、３Ｄ画像構成処理、心臓の位相検索画像作成処理等）条件等の検査条件を再現可能な医用画像診断装置を提供する。【解決手段】医用画像データを保存するサーバ装置とネットワークを介して接続された医用画像診断装置に、次の制御を行う制御部127を具備させる。すなわち、制御部127は、検査条件を示す検査条件情報が付帯情報として記録された医用画像データを前記サーバ装置から取得し、前記医用画像データの付帯情報から前記検査条件情報を読み出し、前記検査条件情報に基づいて検査条件を設定して検査撮影を実行し、取得した医用画像データに対して、前記検査条件に基づいて画像処理を施す制御を行う。【選択図】図２
2010136824.tif 000002
【特許請求の範囲】
【請求項１】
医用画像データを保存するサーバ装置とネットワークを介して接続された医用画像診断装置であって、
検査条件を示す検査条件情報が付帯情報として記録された医用画像データを、前記サーバ装置から取得するデータ取得部と、
前記データ取得部によって取得した前記医用画像データの付帯情報から前記検査条件情報を読み出す検査条件読み出し部と、
前記検査条件読み出し部によって読み出された検査条件を設定して検査撮影を実行する撮影部と、
前記撮影部による検査撮影で取得した医用画像データに対して、前記検査条件に基づいて画像処理を施す画像処理部と、
を具備することを特徴とする医用画像診断装置。
【請求項２】
前記検査条件とは、画像収集条件、画像再構成条件、及び画像後処理条件であることを特徴とする請求項１に記載の医用画像診断装置。
【請求項３】
前記画像後処理条件とは、位相検索画像作成条件、ＭＰＲ画像作成条件、及び３Ｄ画像処理条件のうち少なくとも何れか一つであることを特徴とする請求項２に記載の医用画像診断装置。
【請求項４】
前記データ取得部は、
前記サーバ装置が保持する医用画像データの一覧表示を示す一覧データを前記サーバ装置から取得する一覧データ取得部と、
前記一覧データ取得部によって取得した医用画像データの中からユーザが所望の医用画像データを選択する為の表示を行う選択表示部と、
前記選択表示部に表示された医用画像データのうちユーザにより選択された医用画像データを前記サーバ装置から取得する選択データ取得部と、
を有することを特徴とする請求項１乃至請求項３のうち何れか１つに記載の医用画像診断装置。
【請求項５】
検査条件を示す検査条件情報が付帯情報として記録された医用画像データを保存するサーバ装置とネットワークを介して接続された医用画像診断装置であって、
前記サーバ装置が保持する医用画像データの一覧表示を示す一覧データを前記サーバ装置から取得する一覧データ取得部と、
前記一覧データ取得部によって取得した医用画像データの中からユーザが所望の医用画像データを選択する為の表示を行う選択表示部と、
前記選択表示部に表示された医用画像データのうちユーザにより選択された医用画像データを前記サーバ装置から取得する選択データ取得部と、
前記選択データ取得部によって取得した前記医用画像データの付帯情報から前記検査条件情報を読み出す検査条件読み出し部と、
前記検査条件読み出し部によって読み出された検査条件を設定して検査撮影を実行する撮影部と、
前記撮影部による検査撮影で取得した医用画像データに対して、前記検査条件に基づいて後処理を施す画像処理部と、
を具備することを特徴とする医用画像診断装置。
【発明の詳細な説明】
【技術分野】
【０００１】
本発明は、被検体をスキャン等して取得したデータに基づいて医用画像データを生成する医用画像診断装置に関する。
【背景技術】
【０００２】
近年、医療行為の専門分野は細分化されている。例えば、画像診断においては、患者の医用画像データの取得、取得された医用画像データの読影及びレポート作成、レポート結果に基づく診断結果や治療方針の説明、等の各作業に分割される。各作業は、各専門家（担当の医師又は担当技師）によって担当され、これら全ての作業によって、患者に対する診断等の医療行為が達成される。各専門家は、前段の作業において他の専門家が作成した情報に基づいて、且つ適宜過去の診断情報等を参照することにより、各作業を実行する。これらの作業は、例えば、医用画像データを生成するＸ線ＣＴ装置、ＭＲＩ装置等の医用画像診断装置、医用画像データを記憶するＰＡＣＳサーバ、医用画像データを読影するための画像参照装置等により行われる。
【０００３】
ところで、例えばＣＴ検査等において経過観察の目的で、過去に行った検査と同様の検査条件（収集条件等）を再現して検査を行う場合がある。このような場合には、当該検査に当たって、過去の検査における検査条件等と同様の検査条件等を設定する必要がある。この為に、従来より例えば次のような手法が採られている。
【０００４】
すなわち、例えば検査ごとに検査条件をカルテに記録しておき、該記録を参照して過去の検査と同様の検査条件を再現する手法が採られている。また、各々の検査時に検査条件を示す医療情報を作成してサーバへ送信して記録しておき、過去の検査と同様の検査条件等が必要となった場合に、前記サーバから前記医療情報を読み込む手法が採られている。
【０００５】
このような技術に関連する技術として、例えば特許文献１には次のような技術が開示されている。すなわち、特許文献１に開示されている技術では、過去の医療情報のうち、撮影段階やレポート作成段階に有効なものについて、統一された形式にて共有オブジェクトを新たに生成する。この共有オブジェクトには、位置決め画像、オブジェクト固有情報、人体座標情報、撮影条件、画像生成条件、キー画像情報を含めることができる為、これらの情報を用いて、過去の検査と同様の撮影条件、撮影範囲、撮影断層位置、画像生成条件等を自動的に設定することができる。つまり、特許文献１に開示されている技術では、前記共有オブジェクトを生成して予めサーバへ記録しておき、当該共有オブジェクトが必要な場合に、前記サーバからダウンロードして利用する。
【特許文献１】特開２００７−１６７６３４号公報
【発明の開示】
【発明が解決しようとする課題】
【０００６】
ところで、再現対象の検査で生成された医用画像データに対して後処理（例えばＭＰＲ処理や３Ｄ処理等）が施されている場合には、当該後処理の条件に関しても再現する必要が生じる。
【０００７】
例えば、検査においては、特にＭＰＲ処理によりＭＰＲ画像が作成されるケースは多く、経過観察の目的で行う検査においてはＭＰＲ画像に関しても、過去の検査と同様の検査条件で収集して生成されたＭＰＲ画像を得ることが必要となる。
【０００８】
なお、特許文献１に開示されている技術は、過去の検査で医用画像データに施された後処理と同様の後処理条件を再現することができる技術ではない。また、医用画像診断装置として、ＤＩＣＯＭのサポート端末であることだけでなく、上述したような共有オブジェクトを扱うことができる端末であることが要求される。
【０００９】
本発明は、前記の事情に鑑みて為されたものであり、医用画像データの収集条件、再構成条件、及び後処理（ＭＰＲ画像作成処理、３Ｄ画像構成処理、心臓の位相検索画像作成処理等）条件等の検査条件を再現可能な医用画像診断装置を提供することを目的とする。
【課題を解決するための手段】
【００１０】
前記の目的を達成するために、本発明の第１の態様による医用画像診断装置は、
医用画像データを保存するサーバ装置とネットワークを介して接続された医用画像診断装置であって、
検査条件を示す検査条件情報が付帯情報として記録された医用画像データを、前記サーバ装置から取得するデータ取得部と、
前記データ取得部によって取得した前記医用画像データの付帯情報から前記検査条件情報を読み出す検査条件読み出し部と、
前記検査条件読み出し部によって読み出された検査条件を設定して検査撮影を実行する撮影部と、
前記撮影部による検査撮影で取得した医用画像データに対して、前記検査条件に基づいて画像処理を施す画像処理部と、
を具備することを特徴とする。
【００１１】
前記の目的を達成するために、本発明の第２の態様による医用画像診断装置は、
検査条件を示す検査条件情報が付帯情報として記録された医用画像データを保存するサーバ装置とネットワークを介して接続された医用画像診断装置であって、
前記サーバ装置が保持する医用画像データの一覧表示を示す一覧データを前記サーバ装置から取得する一覧データ取得部と、
前記一覧データ取得部によって取得した医用画像データの中からユーザが所望の医用画像データを選択する為の表示を行う選択表示部と、
前記選択表示部に表示された医用画像データのうちユーザにより選択された医用画像データを前記サーバ装置から取得する選択データ取得部と、
前記選択データ取得部によって取得した前記医用画像データの付帯情報から前記検査条件情報を読み出す検査条件読み出し部と、
前記検査条件読み出し部によって読み出された検査条件を設定して検査撮影を実行する撮影部と、
前記撮影部による検査撮影で取得した医用画像データに対して、前記検査条件に基づいて後処理を施す画像処理部と、
を具備することを特徴とする。
【発明の効果】
【００１２】
本発明によれば、医用画像データの収集条件、再構成条件、及び後処理（ＭＰＲ画像作成処理、３Ｄ画像構成処理、心臓の位相検索画像作成処理等）条件等の検査条件を再現可能な医用画像診断装置を提供することができる。
【発明を実施するための最良の形態】
【００１３】
以下、本発明の一実施形態に係る医用画像診断装置について説明する。
【００１４】
図１は、本一実施形態に係る医用画像診断装置１を適用した医用画像診断システムＳの一構成例を示す図である。同図に示すように、医用画像診断システムＳは、病院情報システム（HIS:  Hospital  Information  System）を利用して構築され、それぞれネットワークＮに接続された医用画像診断装置（Ｘ線コンピュータ断層撮影装置（以下、Ｘ線ＣＴ装置と称する））１と、画像参照装置７と、ＰＡＣＳサーバ９と、を具備する。
【００１５】
なお、図１では、医用画像診断装置としてＸ線ＣＴ装置１を用いる例を示した。しかしながら、本発明の技術的思想はこれに拘泥されず、例えば磁気共鳴イメージング装置（ＭＲＩ装置）、Ｘ線診断装置、核医学診断装置等の寝台を利用して撮影位置を決定するものであれば、適用することが可能である。また、図１では、一つの病院内での情報システムを利用して構築される医用画像診断システムＳの例を示した。しかしながら、これに拘泥されず、例えばインターネット等の外部ネットワークを介して、異なる医療機関や研究機関に設置された医用画像診断装置、ＰＡＣＳサーバ、画像参照装置、医療端末等から構成されるようにしてもよい。
【００１６】
以下、前記Ｘ線ＣＴ装置１について説明する。
【００１７】
前記Ｘ線ＣＴ装置１は、Ｘ線投影データを取得するためのスキャンシーケンス、Ｘ線投影データを用いた画像再構成によるＸ線断層画像の生成・表示処理等を実行する。また、Ｘ線ＣＴ装置１等は、スキャン処理、Ｘ線ＣＴ画像の再構成、ボリュームレンダリング、及びＭＰＲ処理等を実行する。
【００１８】
図２は、前記Ｘ線ＣＴ装置１の一構成例を示すブロック図である。同図に示すように、Ｘ線ＣＴ装置１は、架台１００と、情報処理部１０１と、を有する。
【００１９】
前記架台１００は、被検体Ｐに関する投影データを収集するために構成されたものであり、スリップリング１１と、架台駆動部１１２と、Ｘ線管球１１３と、Ｘ線検出器１１５と、回転フレーム１１６と、データ収集部１１７と、非接触データ伝送装置１１８と、を備える。
【００２０】
前記情報処理部１０１は、架台１００におけるデータ収集動作の制御、及び架台１００において収集されたデータに所定の処理を施すことで、Ｘ線ＣＴ画像及びこれを用いた各種臨床情報を生成するものであり、高電圧発生装置１１９と、前処理部１２０と、メモリ部１２１と、再構成部１２３と、画像処理部１２４と、記憶部１２５と、制御部１２７と、表示部１２９と、入力部１３１と、送受信部１４０と、を備える。
【００２１】
前記架台駆動部１１２は、回転フレーム１１６を回転駆動する。この回転駆動により、Ｘ線管球１１３とＸ線検出器１１５とが対向しながら、被検体Ｐの体軸を中心に螺旋状に回転することになる。
【００２２】
前記Ｘ線管球１１３は、Ｘ線を発生する真空管であり、回転フレーム１１６に設けられている。当該Ｘ線管球１１３には、Ｘ線の曝射に必要な電力（管電流、管電圧）が高電圧発生装置１１９からスリップリング１１を介して供給される。Ｘ線管球１１３は、供給された高電圧により電子を加速させターゲットに衝突させることで、有効視野領域ＦＯＶ内に載置された被検体に対してＸ線を曝射する。
【００２３】
前記Ｘ線検出器１１５は、被検体を透過したＸ線を検出する検出器システムであり、Ｘ線管球１１３に対向する向きで回転フレーム１１６に取り付けられている。当該Ｘ線検出器１１５は、シングルスライスタイプ又はマルチスライスタイプの検出器であり、シンチレータとフォトダイオードとの組み合わせで構成される複数の検出素子が、それぞれのタイプに応じて一次元的又は二次元的に配列されている。
【００２４】
前記回転フレーム１１６は、Ｚ軸を中心として回転駆動されるリングであり、Ｘ線管球１１３とＸ線検出器１１５とを搭載している。この回転フレーム１１６の中央部分は開口されており、この開口部に、寝台（図示せず）上に載置された被検体Ｐが挿入される。
【００２５】
前記データ収集装置１７は、一般的にＤＡＳ(data  acquisition  system)  と呼ばれ、検出器１５からチャンネルごとに出力される信号を電圧信号に変換し、増幅し、さらにディジタル信号に変換する。このデータ（生データ）は、非接触データ伝送装置１８を介して情報処理装置３に取り込まれる。
【００２６】
前記高電圧発生装置１１９は、スリップリング１１を介して、Ｘ線の曝射に必要な電力をＸ線管球１１３に供給する装置であり、高電圧変圧器、フィラメント加熱変換器、整流器、高電圧切替器等から成る。
【００２７】
前処理部１２０は、非接触データ伝送装置１８を介してデータ収集装置１７から生データを受け取り、感度補正やＸ線強度補正を実行する。各種補正を受けた所定角度分の生データは、記憶部１２５に一旦記憶される。なお、当該前処理部１２０によって前処理が施された生データは、「投影データ」と呼ばれる。
【００２８】
前記再構成部１２３は、複数種類の再構成法を装備し、操作者から選択された再構成法により、設定される画像生成条件に従って画像データを再構成する。複数種類の再構成法には、例えば、ファンビーム再構成法（ファンビーム・コンボリューション・バックプロジェクション法ともいう）、再構成面に対して投影レイが斜めに交差する場合の再構成法として、コーン角が小さいことを前提として畳み込みの際にはファン投影ビームとみなして処理し、逆投影はスキャンの際のレイに沿って処理する近似的画像再構成法としてのフェルドカンプ法、フェルドカンプ法よりもコーン角エラーを抑える方法として再構成面に対するレイの角度に応じて投影データを補正するコーンビーム再構成法等が含まれる。
【００２９】
前記画像処理部１２４は、再構成部１２３により生成された再構成画像データに対して、設定される画像生成条件に従ってボリュームレンダリング、ＭＰＲ処理等の画像処理（後処理）を行い、表示部１２９に出力する。
【００３０】
前記記憶部１２５は、生データ、投影データ、スキャノグラムデータ、断層像データ等の画像データや、検査計画のためのプログラム等を記憶する。
【００３１】
前記制御部１２７は、スキャン処理、信号処理、画像生成処理、画像表示処理等において、本Ｘ線ＣＴ装置１の統括的な制御を行う。例えば、制御部１２７は、スキャン処理においては、設定される撮影（スキャン）条件に従って、高電圧発生装置１１９、寝台駆動部１２、及び寝台天板ａの体軸方向への送り量、送り速度、Ｘ線管球１１３及びＸ線検出器１１５の回転速度、回転ピッチ、及びＸ線の曝射タイミング等を制御し、被検体の所望の撮影領域に対して多方向からＸ線コーンビーム又はＸ線ファンビームを曝射させ、Ｘ線ＣＴ画像のデータ収集（スキャン）処理を行う。
【００３２】
前記表示部１２９は、画像処理部１２４から入力したＸ線ＣＴ画像、スキャノグラム像、収集条件、画像再構成条件等を設定するための対話画面等を表示する出力装置である。なお、本実施形態においては、Ｘ線ＣＴ画像を、「Ｘ線コンピュータ断層装置によって取得されたＦＯＶ（撮影領域）内の各ＣＴ値に基づいて生成された画像」と定義する。ここで、ＣＴ値とは、物質のＸ線吸収係数を、基準物質（例えば、水）からの相対値として表したものである。また、表示部１２９は、図示していない計画補助システムによって実現されるスキャン計画画面等を表示する。
【００３３】
前記入力部１３１は、キーボードや各種スイッチ、マウス等を備え、オペレータを介してスライス厚やスライス数等の各種スキャン条件を入力可能な装置である。
【００３４】
前記送受信部１４０は、ネットワークＮを介して、他の装置と画像データ、患者情報等を送受信する。特に、送受信部１４０は、ネットワークＮに接続されたＲＩＳ（Radiology  Information  System）から、当該被検体の撮影に関する情報（患者情報、診断部位等）を受信する。
【００３５】
以下、画像参照装置７について説明する。
【００３６】
前記画像参照装置７は、例えば医師が画像を読影しながらレポート作成等を行う場合に使用されるものであり、ＰＡＣＳサーバ９から読み出された画像を、そのままで又は所定の画像処理を施すことで診断画像を生成し表示する。
【００３７】
図３は、画像参照装置７の一構成例を示すブロック図である。同図に示すように、画像参照装置７は、制御部７１と、画像処理部７２と、表示部７３と、操作部７４と、記憶装置７７と、送受信部７８と、を具備する。
【００３８】
前記制御部７１は、画像参照装置７の静的又は動的な動作を、統括的に制御する。
【００３９】
前記画像処理部７２は、各種医用画像診断装置によって取得された画像データを用いて、ボリュームレンダリング、ＭＰＲ画像生成等の画像処理を行う。
【００４０】
前記表示部７３は、各種医用画像診断装置によって取得された画像、画像処理部７２における画像処理によって生成された画像、画像生成条件等を設定するための対話画面等を所定の形態にて表示する。
【００４１】
前記操作部７４は、キーボードや各種スイッチ、マウス等を備え、オペレータからの指示を入力可能な装置である。
【００４２】
前記レポート作成部７５は、操作部７４からの入力に基づいてレポートを作成する。
【００４３】
前記記憶装置７７は、各種医用画像診断装置によって取得された画像データ（装置より直接取得したもの、ＰＡＣＳサーバ９から取得したものを含む）を記憶する。
【００４４】
前記送受信部７８は、ネットワークＮを介して、他の装置と画像データ、患者情報等を送受信する。
【００４５】
以下、ＰＡＣＳサーバ９について説明する。
【００４６】
前記ＰＡＣＳサーバ９は、各種医用画像診断装置において生成された画像、画像参照装置７において後処理により生成された画像等を、患者ＩＤ等によって管理し保存する。
【００４７】
図４は、ＰＡＣＳサーバ９の一構成例を示すブロック図である。同図に示すように、ＰＡＣＳサーバ９は、制御部９１と、表示部９３と、操作部９４と、記憶装置９５と、送受信部９６と、を具備している。
【００４８】
前記制御部９１は、本ＰＡＣＳサーバ９の静的又は動的な動作を、統括的に制御する。さらに、制御部９１は、医用画像診断装置や画像参照装置等からの要求に応答して、記憶装置９５から対象となる画像データを検索し、ネットワークを介して送信する。
【００４９】
前記表示部９３は、操作画面や所定の画像を表示するためのモニタである。
【００５０】
前記操作部９４は、キーボードや各種スイッチ、マウス等を備え、オペレータからの指示を入力可能な装置である。
【００５１】
前記記憶装置９５は、画像記憶部９５ａ、レポート記憶部９５ｄを有している。画像記憶部９５ａは、各種医用画像診断装置によって取得された画像、各種検査において使用されるオーダ情報等を記憶する。レポート記憶部９５ｄは、読影医師によって作成されたレポートに関する情報等を記憶する。
【００５２】
前記送受信部９６は、ネットワークＮを介して、画像データ等の医療情報を、他の機器から受信し又は他の機器へ送信する。
【００５３】
以下、前記Ｘ線ＣＴ装置１による本一実施形態に特有の検査処理を、図５に示すフローチャートを参照して説明する。
【００５４】
なお、本一実施形態に係る医用画像診断装置では、取得した医用画像データの保存の際には、当該医用画像データに係る検査条件（収集条件、再構成条件、及び後処理（ＭＰＲ画像作成処理、３Ｄ画像構成処理、心臓の位相検索画像作成処理等）条件）について、当該医用画像データの収集を再現可能な程度に十分な情報（以降、検査条件情報と称する）をＤＩＣＯＭの付帯情報（プライベートデータ）として、当該医用画像データと共に保存する。この処理は、以下説明する図５に示すフローチャートの処理を実行する為の前提条件でもある。
【００５５】
まず、制御部１２７は、患者ＩＤ等からの患者情報の入力及び検査オーダの選択を受けると、Ｘ線ＣＴ画像を取得するために、スキャノグラムの収集条件（ＦＯＶ、管球電圧、スキャン方向等）に基づいてＸ線管球１１３、Ｘ線検出器１１５等を制御し、当該患者に関するスキャノグラムを収集して表示部１２９に表示する（ステップＳ１）。
【００５６】
続いて、制御部１２７は、本スキャン計画を行う為のスキャン計画対話画面（図６参照）を表示部１２９に表示させる（ステップＳ２）。このとき、制御部１２７は、過去の検査条件を反映させる為の画像選択ボタン２０を、図６に示すようにスキャン計画対話画面内に表示させる。この画像選択ボタン２０がユーザにより選択・決定操作されると、制御部１２７は、過去に検査が行われた日の一覧である検査日リスト２４を、前記スキャン計画対話画面内に表示させる。
【００５７】
この検査日リスト２４に示す項目がユーザにより選択・決定操作されると、制御部１２７は、当該項目に対応する検査において取得した医用画像データ群２６を、図７に示すようにスキャン計画対話画面内に表示させる。この時点において、スキャン計画対話画面内の設定条件表示３０に表示されている条件は、初期設定されている検査条件の値である。
【００５８】
ここで、前記医用画像データ群２６を視認したユーザによる所望の医用画像データの選択操作及び確定ボタン２８の決定操作により、今回の検査撮影において同様の検査条件を利用したい医用画像データが選択される。
【００５９】
そして、制御部１２７は、前記送受信部１４０によってネットワークＮを介して前記ＰＡＣＳサーバ９から、ユーザによって選択された前記医用画像データをダウンロードする処理を行い、当該ダウンロードに係る医用画像データの付帯情報から検査条件を読み込む（後述するステップＳ２乃至ステップＳ７における処理）。制御部１２７は、この読み込んだ検査条件を、図８に示すように設定条件表示３０に反映させる。
【００６０】
制御部１２７は、ユーザによって選択された前記医用画像データをＰＡＣＳサーバ９からダウンロードする処理を行った後、当該医用画像データが心臓画像であるか否かを判定する（ステップＳ２）。
【００６１】
このステップＳ２をＹＥＳに分岐する場合には、制御部１２７は、当該医用画像データについてＤＩＣＯＭの付帯情報に保存されている次の検査条件情報を読み込む（ステップＳ３）。すなわち、このステップＳ３において読み込む検査条件情報としては、例えば収集条件、ボリューム再構成条件、及び後処理としての位相検索条件等を挙げることができる。
【００６２】
なお、心臓の検査撮影の場合には、前記画像処理部１２４による処理項目として“位相検索位置”という処理項目が存在する。この位相検索位置に基づいて医用画像データを選択することで、位相検索条件を指定することができる。
【００６３】
ところで、前記収集条件とは、撮影動作によって患者から画像生成の元となる物理的なデータを収集するために必要な物理的条件である。この条件の内容は、モダリティの種類に依存する。例えば、Ｘ線ＣＴ装置の収集条件は、スキャンの開始位置と範囲（寝台移動量）、Ｘ線管球のKV/mA、得られる画像スライスの総幅に対する１回転での寝台移動量（ビームピッチ）といった物理量である。しかしながら、収集条件の内容は、この例に拘泥されない。例えば、検査時の被検体挿入方向（装置に足から入るか頭から入るかの情報）、造影剤投与の有無、投与量、薬剤の種類、患者の体位（診断上で寝る方向、姿勢）等を含める構成としてもよい。さらに、最近は被曝低減のために一定の画質になるようにKV/mAを自動制御する機能があるが、そのような場合は、制御量である画像ノイズ（SD値）を収集条件に含める構成としてもよい。また、例えばＭＲＩ装置の場合は、撮影範囲、患者の挿入方向や体位、磁場強度、パルスシーケンス、検出コイル種類、検出コイルの設置場所、心電同期、呼吸同期の有無、寝台送風の有無、撮影中心の身体部位、装着位置といったパラメータを収集条件に含めることができる。
【００６４】
前記テップＳ２をＮＯに分岐する場合、または前記ステップＳ３の処理を完了した後、制御部１２７は、当該医用画像データがＭＰＲ画像であるか否かを判定する（ステップＳ４）。このステップＳ４をＹＥＳに分岐する場合には、制御部１２７は、当該医用画像データについてＤＩＣＯＭの付帯情報に保存されている次の検査条件情報を読み込む（ステップＳ５）。すなわち、このステップＳ５において読み込む検査条件情報としては、例えば収集条件、ＭＰＲ作成条件（例えば、基準座標と法線ベクトルを示す情報、スライス厚を示す情報、スライス間隔を示す情報、範囲を示す情報等）、及びＭＰＲの作成元となるボリューム画像の再構成条件等を挙げることができる。
【００６５】
前記ステップＳ４をＮＯに分岐する場合、または前記ステップＳ５の処理を完了した後、制御部１２７は、当該医用画像データが３Ｄ画像であるか否かを判定する（ステップＳ６）。このステップＳ６をＹＥＳに分岐する場合には、制御部１２７は、当該医用画像データについてＤＩＣＯＭの付帯情報に保存されている次の検査条件情報を読み込む（ステップＳ５）。すなわち、このステップＳ５において読み込む検査条件情報としては、例えばＣＴ値（画素値）を示す情報、レンダリング方式（ボリュームレンダリング、サーフィスレンダリング、最大値投影）を示す情報、骨抜き処理に係るパラメータ、及び表示に係るパラメータ等を挙げることができる。
【００６６】
前記ステップＳ６をＮＯに分岐する場合、または前記ステップＳ７の処理を完了した後、制御部１２７は、上述した処理によって読み込んだ検査条件情報に基づいて各種検査条件を設定して（図８に示すように設定条件表示３０に反映される）、Ｘ線ＣＴ画像取得のためのスキャンを実行する（ステップＳ８）。このステップＳ８における撮影によって患者から画像生成の元となる物理的なデータを収集する。生成されたＸ線ＣＴ画像は、一つのシリーズ情報として自動的に記憶部１２５に保存される。つまり、このステップＳ８により、ユーザによって選択された医用画像データの検査条件と同様の検査条件で検査撮影が行われる。
【００６７】
前記ステップＳ８における処理を終えると、制御部１２７は、検査条件情報に基づいてボリューム再構成条件を設定してボリューム再構成処理を実行する（ステップＳ９）。
【００６８】
ここで、制御部１２７は、位相検索条件が設定されているか否かを判定する（ステップＳ１０）。このステップＳ１０をＹＥＳに分岐する場合（ユーザにより選択された医用画像データが心臓画像である場合）には、設定されている位相検索条件に基づいて、最適位相を検出する為の位相検索画像の作成を実行する。
【００６９】
前記ステップＳ１０をＮＯに分岐する場合、または前記ステップＳ１１の処理を完了した後、制御部１２７は、ＭＰＲ作成条件が設定されているか否かを判定する（ステップＳ１２）。このステップＳ１２をＹＥＳに分岐する場合（ユーザにより選択された医用画像データがＭＰＲ画像である場合）には、設定されているＭＰＲ作成条件に基づいて、バックグラウンドでＭＰＲ画像作成を実行する。
【００７０】
前記ステップＳ１２をＮＯに分岐する場合、または前記ステップＳ１３の処理を完了した後、制御部１２７は、３Ｄ条件（例えばＣＴ値（画素値）を示す情報、レンダリング方式（ボリュームレンダリング、サーフィスレンダリング、最大値投影）を示す情報、骨抜き処理に係るパラメータ、及び表示に係るパラメータ等）が設定されているか否かを判定する（ステップＳ１４）。
【００７１】
このステップＳ１４をＹＥＳに分岐する場合には、３Ｄ画像の基準となるボリューム画像作成後、自動で３Ｄ処理ページに移動し、設定されている３Ｄ条件と同様の条件で３Ｄ処理をデフォルトとして起動する（ステップＳ１５）。
【００７２】
前記ステップＳ１４をＮＯに分岐する場合、または前記ステップＳ１５における処理を完了した後、当該検査撮影処理を終了する。上述したように、本一実施形態における検査撮影処理の流れは、“各種検査条件設定”→“設定した条件でのスキャン”→“設定した条件での再構成”→“設定した条件での後処理”となる。
【００７３】
以上説明したように、本一実施形態によれば、医用画像データの収集条件、再構成条件、及び後処理（ＭＰＲ処理、３Ｄ処理、心臓の位相検索画像作成等）条件等の検査条件を再現可能な医用画像診断装置を提供することができる。
【００７４】
本一実施形態に係る医用画像診断装置では、医用画像データの取得時に付帯情報として詳細な検査条件を保存しておくことで、過去に実施した検査撮影と全く同じ検査条件を再現して検査撮影を実行し、その後処理まで同様の条件で再現することが可能となる。
【００７５】
具体的には、図７に示すスキャン計画対話画面の医用画像データ群２６のうちユーザにより選択された医用画像データをＰＡＣＳサーバ９からダウンロードし、当該医用画像データの付帯情報に記録された検査条件情報を読み出して当該検査条件を再現して検査撮影を実行することができる。従って、被検体の経過観察の為の検査撮影を容易に行うことができる。
【００７６】
すなわち、本一実施形態に係る医用画像診断装置によれば、位相検索画像作成処理、ＭＰＲ画像作成処理、及び３Ｄ画像構成処理という後処理に関しても、過去の検査における条件と同様の条件で実行することができる。
【００７７】
詳細には、本一実施形態に係る医用画像診断装置によれば、心臓画像に関しては、位相検索画像の取得を過去の検査と同様の条件で自動で行うことができる。同様に、ＭＰＲ画像作成についても、過去の検査と同様の条件で自動作成することができる。また、３Ｄ画像についても、３Ｄの基準となるボリューム画像作成後、自動で３Ｄ処理を起動して過去の検査における条件と同様の条件で容易に実行することができる。つまり、どのようなユーザが操作をしても、過去の検査で取得した医用画像データと同様の検査条件で撮影及び後処理を実施することができる。
【００７８】
例えば、心臓画像については位相検索処理を行っておくことで、適切な再構成ができなかった場合であっても代表画像だけを例えば１０ｍｓｅｃごとに観察することも可能になる。また、図５に示すフローチャートに従って処理を行うことで、複数種類の画像について並列して処理を行うことが可能になる。
【００７９】
なお、本一実施形態に係る医用画像診断装置は、当然ながらＤＩＣＯＭをサポートしている装置である。
【００８０】
以上、一実施形態に基づいて本発明を説明したが、本発明は上述した実施形態に限定されるものではなく、本発明の要旨の範囲内で種々の変形及び応用が可能なことは勿論である。
【００８１】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００８２】
【図１】本発明の一実施形態に係る医用画像診断装置を適用した医用画像診断システムの一構成例を示す図。
【図２】Ｘ線ＣＴ装置の一構成例を示すブロック図。
【図３】画像参照装置の一構成例を示すブロック図。
【図４】ＰＡＣＳサーバの一構成を示すブロック図。
【図５】Ｘ線ＣＴ装置による本一実施形態に特有の検査処理のフローチャートを示す図。
【図６】スキャン計画対話画面の一例を示す図。
【図７】スキャン計画対話画面の一例を示す図。
【図８】スキャン計画対話画面の一例を示す図。
【符号の説明】
【００８３】
１…医用画像診断装置、  ３…情報処理装置、  ７…画像参照装置、  ９…ＰＡＣＳサーバ、  １１…スリップリング、  １２…寝台駆動部、  １５…検出器、  １７…データ収集装置、  １８…非接触データ伝送装置、  ２０…画像選択ボタン、  ２４…検査日リスト、  ２６…医用画像データ群、  ２８…確定ボタン、  ３０…設定条件表示、  ７１…制御部、  ７２…画像処理部、  ７３…表示部、  ７４…操作部、  ７５…レポート作成部、  ７７…記憶装置、  ７８…送受信部、  ９１…制御部、  ９３…表示部、  ９４…操作部、  ９５…記憶装置、  ９５ａ…画像記憶部、  ９５ｄ…レポート記憶部、  ９６…送受信部、  １００…架台、  １０１…情報処理部、  １１２…架台駆動部、  １１３…Ｘ線管球、  １１５…Ｘ線検出器、  １１６…回転フレーム、  １１７…データ収集部、  １１８…非接触データ伝送装置、  １１９…高電圧発生装置、  １２０…前処理部、  １２１…メモリ部、  １２３…再構成部、  １２４…画像処理部、  １２５…記憶部、  １２７…制御部、  １２９…表示部、  １３１…入力部、  １４０…送受信部。
【図１】
2010136824.tif 000003
【図２】
2010136824.tif 000004
【図３】
2010136824.tif 000005
【図４】
2010136824.tif 000006
【図５】
2010136824.tif 000007
【図６】
2010136824.tif 000008
【図７】
2010136824.tif 000009
【図８】
2010136824.tif 000010